【手続補正書】
【提出日】平成17年1月24日(2005.1.24)
【手続補正１】
【補正対象書類名】特許請求の範囲
【補正対象項目名】全文
【補正方法】変更
【補正の内容】
【特許請求の範囲】
【請求項１】
(ａ)第１リング及び第２リング；
(ｂ)第１リング内に配備された第１ヨーク及び第２リング内に配備された第２ヨーク；
(ｃ)第１シャフト及び第２シャフト；
(ｄ)第１ヨークと第１リングを回動可能に相互連結する第１ピン手段；
(ｅ)第１シャフトと第１リングを回動可能に相互連結する第２ピン手段；
(ｆ)第２ヨークと第２リングを回動可能に相互連結する第３ピン手段；
(ｇ)第２シャフトと第２リングを相互連結する第４ピン手段；
(ｈ)第１ヨークと第２ヨークを相互連結するカップリング手段；
(ｉ)ピン手段を受ける複数のベアリング手段；
(ｊ)第１シャフトと第２シャフトを相互連結し、第２カムロッドに回転可能に連結された第１カムロッドを具えている調心手段；
を具えているユニバーサルジョイントであって、
(ｉ)第１カムロッドは、第１回転軸を有する第１セクション、及び第１セクションとは同軸線上になく、第２回転軸を有する第２セクションを具え、
(ii)第２カムロッドは、第１回転軸を有する第１セクション、及び第１セクションとは同軸線上になく、第２回転軸を有する第２セクションを具えている、
ユニバーサルジョイント。
【請求項２】
各リング内にベアリング手段が配備されており、第１リング内に配備されたベアリング手段は第１ピン手段及び第２ピン手段を受け、第２リング内に配備されたベアリング手段は第３ピン手段及び第４ピン手段を受ける請求項１のユニバーサルジョイント。
【請求項３】
第１ピン手段及び第２ピン手段は回動中心を有し、第３ピン手段及び第４ピン手段は回動中心を有しており、第１カムロッドは回転軸を有し、第２カムロッドは回転軸を有しており、第１カムロッドの回転軸は第１ピン手段及び第２ピン手段の回動中心と交差し、第２カムロッドの回転軸は第３ピン手段及び第４ピン手段の回動中心と交差する請求項１又は２に記載のユニバーサルジョイント。
【請求項４】
カムロッドを受けて支持するカムチューブをさらに具えており、両方のカムロッドはカムチューブ内で同じ角度で回転可能に支持される請求項１乃至請求項３の何れかに記載のユニバーサルジョイント。
【請求項５】
(ａ)第１シャフト及び第２シャフト；
(ｂ)第１シャフトから第２シャフトへトルクを伝達するカップリング手段；
(ｃ)第１シャフトと第２シャフトを相互連結し、第２シャフトをカップリング手段に対して第１シャフトと同じ角度で移動させる調心手段であって、第１カムロッドと、該第１カムロッドに回転可能に連結された第２カムロッドとを具える調心手段；
を具えているユニバーサルジョイントであって、
(ｉ)カムロッドの各々は、第１真直部と第２真直部を含んでおり、
(ii)各真直部は長手方向に軸線を有し、
(iii)２つの真直部の長手方向の軸線は角度を形成し、
(iv)第１カムロッドの角度は第２カムロッドの角度と等しい、
ユニバーサルジョイント。
【請求項６】
カムチューブをさらに具えており、カムチューブは、カムロッドを互いに等しい角度で支持する穴を含んでおり、その角度はカムロッドの角度と同じであり、カムチューブ内の連結カムロッドが回転するとき、カムロッドの第２真直部の軸は、互いに自己調整可能であり、カムロッドの角度の４倍の角度まで互いに角度をずらすことができる請求項５のユニバーサルジョイント。
【請求項７】
第１カムロッドは、カムチューブ内で支持されたピン・キューブユニバーサルジョイントによって第２カムロッドに回転可能に連結されている請求項１又は５のユニバーサルジョイント。
【請求項８】
(ａ)第１シャフト及び第２シャフト；
(ｂ)第１シャフトから第２シャフトへトルクを伝達するカップリング手段；
(ｃ)第１シャフトと第２シャフトを相互連結し、第２シャフトをカップリング手段に対して第１シャフトと同じ角度で移動させる調心手段であって、第１カムロッドと、カムチューブ内で第１カムロッドと同軸線上に同じ角度で配備された第２カムロッドを具える調心手段；
を具えているユニバーサルジョイントであって、
(ｉ)カムロッドの各々は、第１真直部と第２真直部を含んでおり、
(ii)各真直部は長手方向に軸線を有し、
(iii)２つの真直部の長手方向の軸線は角度を形成し、
(iv)第１カムロッドの角度は第２カムロッドの角度と等しい、
ユニバーサルジョイント。
【請求項９】
(ａ)第１シャフト及び第２シャフト；
(ｂ)第１シャフトから第２シャフトへトルクを伝達するカップリング手段；
(ｃ)第１シャフトと第２シャフトをカップリング手段に関して同じ角度で動作させるために、第１シャフトと第２シャフトを相互連結し、第２シャフトをカップリング手段に対して第１シャフトと同じ角度で移動させる調心手段であって、第１カムロッドと第２カムロッドを具え、第２カムロッドは第１カムロッドと同軸線上に配備され、複数の屈曲ロッドによって第１カムロッドに回転可能に連結されている調心手段；
を具えているユニバーサルジョイントであって、
(ｉ)カムロッドの各々は、第１真直部と第２真直部を含んでおり、
(ii)各真直部は長手方向に軸線を有し、
(iii)２つの真直部の長手方向の軸線は角度を形成し、
(iv)第１カムロッドの角度は第２カムロッドの角度と等しい、
ユニバーサルジョイント。
【請求項１０】
第１カムロッドと第２カムロッドは同じ角度で連結され、カップリング手段は回転軸を有し、該カップリング手段の回転軸に直交しユニバーサルジョイントを二等分する平面があり、第１カムロッド、屈曲ロッド及び第２カムロッドの回転軸は、第１シャフト及び第２シャフトの回動点、及びカップリング手段の回転軸に直交しユニバーサルジョイントを二等分する平面で交差する請求項９のユニバーサルジョイント。
【請求項１１】
第１カムロッドと第２カムロッドを回転可能に支持するカムチューブをさらに具えており、第１カムロッド、第２カムロッド及びカムチューブは、第２シャフトが、カップリング手段に対して第１シャフトと同じ角度で移動するように、第１シャフトと第２シャフトを回転可能に支持して相互連結する請求項９のユニバーサルジョイント。
【請求項１２】
(ａ)第１カムロッド；
(ｂ)第２カムロッド；
(ｃ)カムチューブであって、その内部では、第１カムロッドが第２カムロッドに回転可能に連結され、カムロッドは両方とも同じ角度で回転可能に支持されているカムチューブ；
(ｄ)第１カムロッドを第１部材に連結し、第２カムロッドを第２部材に連結する連結手段；
を具えているユニバーサルジョイントであって、
(ｉ)カムロッドの各々は、第１真直部と第２真直部を含んでおり、
(ii)各真直部は長手方向に軸線を有し、
(iii)２つの真直部の長手方向の軸線は角度を形成し、
(iv)第１カムロッドの角度は第２カムロッドの角度と等しい、
ユニバーサルコネクタ。
【請求項１３】
第１部材と第２部材はシャフトである請求項１２のコネクタ。
【請求項１４】
第１部材と第２部材はチューブである請求項１２のコネクタ。
【請求項１５】
第１部材と第２部材は構造部材である請求項１２のコネクタ。
【請求項１６】
(ａ)第１リング及び第２リングであって、各リングは複数のリングセグメントを具え、該セグメントは、機械的に一緒に保持される様に端部どうしが嵌合可能である第１リング及び第２リング；
(ｂ)第１リングに内に配備された第１ヨーク及び第２リング内に配備された第２ヨーク；
(ｃ)第１シャフト及び第２シャフト；
(ｄ)第１ヨークと第１リングを回動可能に相互連結する第１ピン手段；
(ｅ)第１シャフトと第１リングを回動可能に相互連結する第２ピン手段；
(ｆ)第２ヨークと第２リングを回動可能に相互連結する第３ピン手段；
(ｇ)第２シャフトと第２リングを相互連結する第４ピン手段；
(ｈ)第１ヨークと第２ヨークを相互連結するカップリング手段；
(ｉ)ピン手段を受ける複数のベアリング手段；
を具えているユニバーサルジョイント。
【請求項１７】
リングセグメントは四分割体である請求項１６のユニバーサルジョイント。
【請求項１８】
四分割体は互いに実質的に同一である請求項１７のユニバーサルジョイント。
【請求項１９】
第１シャフトと第２シャフトを相互連結する調心手段をさらに具えており、該調心手段は、第１カムロッドと、第１カムロッドに回転可能に連結された第２カムロッドを具えている請求項１６乃至１８の何れかのユニバーサルジョイント。
【請求項２０】
第２カムロッドは、第１カムロッドと同軸線上に配置され、複数の屈曲ロッドによって第１カムロッドに回転可能に連結されている請求項１９のユニバーサルジョイント。
【請求項２１】
第１シャフトと、第２シャフトと、第１シャフトから第２シャフトへトルクを伝達するカップリング手段を具えており、第２シャフトがカップリング手段に対して第１シャフトと同じ角度で移動するように、第１シャフトと第２シャフトを相互連結し、第１カムロッドと、第１カムロッドに回転可能に連結された第２カムロッドとを具えているユニバーサルジョイント用調心手段。
【請求項２２】
各カムロッドは、第１真直部と第２真直部を含んでおり、各真直部は長手方向に軸線を有し、その２つの真直部の長手方向の軸線は角度を形成し、第１カムロッドの角度は、第２カムロッドの角度と等しい請求項２１の調心手段。
【請求項２３】
カムチューブをさらに具えており、カムチューブは、カムロッドを互いに等しい角度で支持する穴を含んでおり、その角度はカムロッドの角度と同じであり、カムチューブ内の連結カムロッドが回転するとき、カムロッドの第２真直部の軸は、互いに自己調整可能であり、カムロッドの角度の４倍の角度まで互いに角度をずらすことができる請求項２２の調心手段。
【請求項２４】
第１カムロッドは、第１回転軸を有する第１セクションと、第２回転軸を有する第２セクションを具えており；
第２カムロッドは、第１回転軸を有する第１セクションと、第２回転軸を有する第２セクションを具えており；
第１ピン手段と第２ピン手段は回動中心を有し、第３ピン手段及び第４ピン手段は回動中心を有しており；
第１カムロッドの回転軸は第１ピン手段及び第２ピン手段の回動中心で互いに交差し、第２カムロッドの回転軸は第３ピン手段及び第４ピン手段の回動中心で互いに交差しており；
カップリング手段は、長手方向に軸線を有しており；
カップリング手段の長手方向の軸線は、第１カムロッドの回転軸と、互いに交わる位置で交差しており；
カップリング手段の長手方向の軸線は、第２カムロッドの回転軸と、互いに交わる位置で交差している；
請求項１乃至１１の何れか又は請求項１６乃至１９の何れかに記載のユニバーサルジョイント。
【請求項２５】
カムロッドの各々は、第１セクションと第２セクションを含んでおり；
各セクションは、回転軸を有しており；
カムロッド内の２つのセクションの回転軸は、互いに交差しており；
カップリング手段は、長手方向に軸線を有しており；
カップリング手段の長手方向の軸線は、第１カムロッドの回転軸と、互いに交わる位置で交差しており；
カップリング手段の長手方向の軸線は、第２カムロッドの回転軸と、互いに交わる位置で交差している；
請求項２４に記載のユニバーサルジョイント。